(57)【特許請求の範囲】
【請求項１】
アプリケーションの実行により得られるデータが保存されるアプリケーション毎のデータ記憶手段と、
前記データが保存されたことを表示する表示手段と、
前記アプリケーションの１つを実行し、当該実行により得られるデータを前記データ記憶手段に保存し、保存後の当該データ記憶手段の残量が今回保存した分のデータ容量の所定の倍数以上であるか否かを判断し、前記所定の倍数の値に応じて、今回のデータ保存時に保存したことを報知する表示の色を可変にして前記表示手段に表示させる制御を行う制御手段と
を具備することを特徴とする携帯端末。
【請求項２】
前記制御手段は、前記アプリケーションごとに前記所定の倍数の値を異ならせることを特徴とする請求項１に記載の携帯端末。
【発明の詳細な説明】
【技術分野】
【０００１】
本発明は、メールデータ、カメラ撮影データ、地上デジタルＴＶ放送の録画などの各種データ保存時にデータ格納領域の残量表示を行う携帯端末に関する。
【背景技術】
【０００２】
近年の携帯電話（携帯端末）は、メール、カメラ、地上デジタルＴＶ放送受信などの機能を持ち、それらのデータであるメールデータ、カメラ撮影データ、地上デジタルＴＶ放送の録画などの各種データをデータ格納領域に保管することができる。このデータ保存時にデータ格納領域に十分な空きがない場合、データ保存をあきらめるか、格納済みのデータで不要なものを削除して空きを確保しなければならなかった。また、実際に保存時に直面しないと残容量を把握できないため、最適なデータ管理が実施しづらい。
【０００３】
一方、記憶媒体の残量表示を行う残量表示装置がある（例えば、特許文献１参照。）。この特許文献１の残量表示装置は、例えば、ＰＣ、ファクシミリ、複写機、プリンタ等であり、記憶媒体には、タスクの実行により生成されたデ−タが記憶される。そして、記憶媒体の残量として、十分な量である第１の範囲（例えば１０メガバイト以上）であれば、残量を青色で表示し、注意を促す必要がある第２の範囲（例えば５〜１０Ｍバイト）であれば、残量を黄色で表示し、容量不足になる恐れがある第３の範囲（例えば５メガバイト未満）であれば、残量を赤色で表示する。この残量表示の一例として、「残りの記憶容量：７．５６２Ｍ」のように残量値を表示し、その表示色を黄色で表示する。
【特許文献１】特開平２−２４０８９０号公報（頁２〜頁３、第３図、第４図）
【発明の開示】
【発明が解決しようとする課題】
【０００４】
携帯電話（携帯端末）では、メールデータ、カメラ撮影データ、地上デジタルＴＶ放送の録画などの各種データをデータ格納領域に保存する場合、特許文献１の残量表示装置のように残量のメガバイト容量の一律な区分けで残量表示をすると、データの種類によっては、十分過ぎる量であったり、または容量不足になる量であったりという問題がある。
【０００５】
本発明は、メールデータ、カメラ撮影データ、地上デジタルＴＶ放送の録画などの各種データの種類に応じて残量の区分けを適正に行って表示することにより、ユーザが最適なデータ管理を行い易い携帯端末を提供することを目標とする。
【課題を解決するための手段】
【０００６】
上記目的を達成するために、本発明の携帯端末は、アプリケーションの実行により得られるデータが保存されるアプリケーション毎のデータ記憶手段と、前記データが保存されたことを表示する表示手段と、前記アプリケーションの１つを実行し、当該実行により得られるデータを前記データ記憶手段に保存し、保存後の当該データ記憶手段の残量を確認し、当該データ保存時に保存したことを報知する表示の色を前記データ記憶手段の残り容量に応じて前記表示手段に表示させる制御を行う制御手段とを具備することを特徴とする。
【発明の効果】
【０００７】
本発明によれば、メール、カメラ、地上デジタルＴＶ放送受信などの様々な機能を持つ携帯端末において、それらの各種データに対して、ユーザが最適なデータ管理を行い易くなり、ユーザの利便性を上げることができる。
【発明を実施するための最良の形態】
【０００８】
以下、本発明の実施例を、図面を参照して説明する。
【実施例１】
【０００９】
図１は、本発明の実施例１および実施例２に係る携帯端末のブロック図である。携帯端末１００は、無線通信用アンテナ１、携帯電話網送受信部２、マイクロホン３、スピーカ４、音声処理部５、画像処理部６、放送受信用アンテナ７、地上デジタルＴＶ受信部８、表示部９、表示制御部１０、カメラ１１、キー操作部１２、制御部２０、データ格納部３０などから構成される。さらに、制御部２０は、メール処理機能２１、地上デジタルＴＶ処理機能２２、撮影処理機能２３、残量表示制御機能２４により、それぞれのアプリケーションを実行する。また、制御部２０は、残量閾値記憶部２５を有する。データ格納部３０は、データホルダー３１、ＳＤカード３２を有する。
【００１０】
次に、各ブロックについて説明する。無線通信用アンテナ１は、携帯電話網用のアンテナである。携帯電話網送受信部２は、受信に関して、無線通信用アンテナ１で受信した高周波信号を増幅、周波数変換及び復調し、それによって得られたデータを音声処理部５やメール処理機能２１へ送る。また、携帯電話網送受信部２は、送信に関して、音声処理部５やメール処理機能２１からのデータを変調及び周波数変換して高周波信号を無線通信用アンテナ１から送信させる。
【００１１】
マイクロホン３は、送話などの音声入力用である。スピーカ４は、受話音の出力用であり、また、メール着信時や電話着信時の着信音などの各種の報知出力用であり、また、地上デジタルＴＶ放送の音声出力用や動画像再生の音声出力用である。
【００１２】
音声処理部５は、マイクロホン３から入力された音声をディジタル信号に変換するとともに音声の符号化を行い、この符号化した音声を携帯電話網送受信部２に出力する。また、携帯電話網送受信部２からの符号化された音声が入力され、復号を行って音声のディジタル信号を得るとともに、このディジタル信号をアナログ信号に変換してスピーカ４から出力する。
【００１３】
画像処理部６は、制御部２０の撮影処理機能２３からの指示に基づいてＪＰＥＧなどの符号化方式で圧縮された静止画を復号、およびマルチメディアファイルに含まれるＭＰＥＧ４やＨ．２６４などの符号化方式で圧縮された動画像を復号し、表示制御部１０に対して表示要求を行うとともに、このマルチメディアファイルに含まれるＡＡＣなどの符号化方式で圧縮されたオーディオデータを復号してスピーカ４から出力させる。
【００１４】
放送受信用アンテナ７は、地上デジタルＴＶ放送の受信用のアンテナである。地上デジタルＴＶ受信部８は、地上デジタルテレビジョン放送の放送局から送信される地上デジタルテレビジョン放送電波を放送受信用アンテナ７を用いて受信し、復調処理を行い、パケットの復号を行い、さらにパケット中のＡＶストリームの復号処理を行って映像信号と音声信号を得る。この音声信号は、スピーカ４へ出力される。映像信号は、表示制御部１０を経由して表示部９へ出力される。また、復号前のＡＶストリームは、地上デジタルＴＶ処理機能２２へ送られ、データ格納部３０のＳＤカード３２などに録画される。
【００１５】
表示部９は、ＬＣＤ等からなる表示手段である。表示制御部１０は、表示部９用のディスプレイコントローラであり、表示部９の形態に合わせて、表示データを制御して、表示部９へ送出する。
【００１６】
カメラ１１は、ＣＣＤなどのモジュールからなり、撮影処理機能２３からの指示に基づいて、静止画や動画像を撮影し、画像処理部６により符号化され、データ格納部３０のＳＤカード３２などに記録される。キー操作部１２は、ユーザ操作用のキーであり、複数の数字キーやファンクションキーを備え、電話番号の入力、メール文章の作成、受信したメールの読出し、各種アプリケーションの実行により得られるデータの保存などの各種操作を行う。
【００１７】
制御部２０は、図示しないＣＰＵ、ＲＡＭ、ＲＯＭなどから構成され、ＲＯＭに記憶されているプログラムを実行することで様々な機能を実現する。特に本願発明に関係するデータ保存を行う機能として、メール処理機能２１、地上デジタルＴＶ処理機能２２、撮影処理機能２３を実行する。また、データ保存時のデータ格納部の残量表示を行う機能として、残量表示制御機能２４を実行する。ここで制御部２の各機能について説明する。
【００１８】
メール処理機能２１は、メール受信に関して、携帯電話網送受信部２からのメールデータをメール受信ボックス（図示せず）に保管し、添付ファイルがあれば、それをデータ格納部３０のデータホルダー３１に保存する。そして、保存完了時に、今回保存した添付ファイルの容量と、保存後のデータホルダー３１の残量を残量表示制御機能２４に通知する。また、メール送信に関して、送信メールデータを携帯電話網送受信部２へ送出する。
【００１９】
地上デジタルＴＶ処理機能２２は、放送録画に関して、地上デジタルＴＶ受信部７からの復号前のＡＶストリームをデータ格納部３０のＳＤカード３２に録画する。そして、録画完了時に、今回録画した分の容量と、保存後のＳＤカード３２の残量を残量表示制御機能２４に通知する。また、放送再生に関して、ＳＤカード３２から復号前のＡＶストリームを読み出して地上デジタルＴＶ受信部７の復号部へ送り、地上デジタルＴＶ受信部７の復号処理を経て、スピーカ４へ出力、および表示制御部１０経由で表示部１０へ出力される。
【００２０】
撮影処理機能２３は、画像記録に関して、カメラ１１からの撮影画像データ（あるいは撮影動画データ）をデータ格納部３０のＳＤカード３２に保存する。そして、保存完了時に、今回撮影した分の容量と、保存後のＳＤカード３２の残量を残量表示制御機能２４に通知する。また、画像（あるいは動画）再生に関して、ＳＤカード３２から撮影画像（あるいは撮影動画）データを読み出して、表示制御部１０経由で表示部９へ出力される。
【００２１】
残量表示制御機能２４は、メール処理機能２１、地上デジタルＴＶ処理機能２２、撮影処理機能２３がそれぞれ上記データ保存完了後に、データ格納部３０の残量をユーザに報知する表示に関する制御を行う。残量閾値記憶部２５（図２で後述）は、この残量表示の実施例１においてのみ、比較用として使用される。
【００２２】
データ格納部３０のデータホルダー３１は、ＮＡＮＤフラッシュメモリなどであり、携帯端末１００に内蔵されており、受信メールの添付ファイルの保管などに使用される。ＳＤカード３２は、携帯端末１００に脱着できる大容量のメモリであり、情報量が多いＴＶ放送の録画や、カメラの撮影画像データの保存などに使用される。  
なお、データ格納部３０は、データホルダー３１とＳＤカード３２とに区分したが、同じ記憶手段であってもよい。また、他の記憶手段を設けてもよい。
【００２３】
図２は、本発明の実施例１に係る携帯端末の残量閾値記憶部２５を説明する図である。残量閾値記憶部２５は、ＮＡＮＤフラッシュメモリなどであり、機能種別２５ａ毎に残量閾値２５ｂが予め記憶されている。
【００２４】
メール機能に関しては、閾値Ｃとして、メール規格で定められている添付ファイルの上限値である５００ＫＢｙｔｅが記憶されている。これは、最大５００ＫＢｙｔｅの添付ファイルが送られて来る可能性があり、添付ファイルの記憶部であるデータホルダー３１の残量が最低限でもその容量分となったときに、例えば報知表示として赤色で警告を行なうためである。閾値Ａ、閾値Ｂとしては、それぞれ、５ＭＢｙｔｅ、２ＭＢｙｔｅなどの値とし、青色、黄色などの報知表示を行うためのものである。
【００２５】
地上デジタルＴＶ機能に関しては、閾値Ｃとして、録画１時間相当分のメモリ容量である。録画１時間相当分のメモリ容量というのは、携帯端末１００の製品カタログなどでの保証録画時間の基となる標準的な画像の場合の圧縮画像データのメモリ容量である。閾値Ａ、閾値Ｂとしては、それぞれ、録画３時間相当分のメモリ容量、録画２時間相当分のメモリ容量である。
【００２６】
写真機能に関しては、閾値Ｃとして、静止画の写真１枚分のメモリ容量である。写真１枚分のメモリ容量というのは、携帯端末１００の製品カタログなどでの写真保存枚数の基となる標準的な画像の場合の圧縮画像データのメモリ容量である。閾値Ａ、閾値Ｂとしては、それぞれ、写真１０枚分のメモリ容量、写真５０枚分のメモリ容量である。なお、写真機能に関しては、動画であってもよい。その場合は所定時間の動画が１本記憶できる程度の閾値となることはいうまでもない。  
なお、上記の残量閾値２５ｂが予め記憶されているとしたが、ユーザがこれを設定できるようにしてもよい。また、上記の各種閾値は一例であり、他の値であってもよい。
【００２７】
次に、制御部２０の詳細動作について説明する。  
図３は、本発明の実施例１に係る携帯端末の制御部２０の動作フローチャートである。制御部２０のメール処理機能２１、地上デジタルＴＶ処理機能２２、撮影処理機能２３、残量表示制御機能２４の処理をまとめて記載する。
【００２８】
メール処理機能２１が起動し（ステップＳ１）、メールを受信し(ステップＳ２)、添付ファイルが添付されているかをチェックする（ステップＳ３）。添付ファイルが添付されてなければ、添付ファイルの保存は不要なので、終了する。添付ファイルが添付されていれば、ユーザ操作によるキー操作部１２からのファイル保存指示をチェックし（ステップＳ４）、保存不要であれば終了する。保存指示があれば、データホルダー３０へ保存する（ステップＳ５）。
【００２９】
残量表示制御機能２４は、この保存後のデータホルダー３１の残量と、残量閾値記憶部２５のメール機能の閾値とを比較対象として、比較する(ステップＳ３１)。この比較において、残量が閾値Ａ（５ＭＢｙｔｅ）以上であれば（ステップＳ３２で「ＹＥＳ」）、残量は十分ということで、図５に示すようなポップアップ「保存しました」の文字色を黒色で表示するように、表示制御部１０に指示し、表示させ（ステップＳ３３）、終了する。
【００３０】
残量が閾値Ａ（５ＭＢｙｔｅ）未満で閾値Ｂ（２ＭＢｙｔｅ）以上であれば（ステップＳ３４で「ＹＥＳ」）、ポップアップ「保存しました」の文字色を青色で表示するように、表示制御部１０に指示し、表示させ（ステップＳ３５）、終了する。
【００３１】
残量が閾値Ｂ（２ＭＢｙｔｅ）未満で閾値Ｃ（５００ＫＢｙｔｅ）以上であれば（ステップＳ３６で「ＹＥＳ」）、ポップアップ「保存しました」の文字色を黄色で表示するように、表示制御部１０に指示し、表示させ（ステップＳ３７）、終了する。
【００３２】
残量が閾値Ｃ（５００ＫＢｙｔｅ）未満であれば（ステップＳ３６で「ＮＯ」）、残量が少ないということで、ポップアップ「保存しました」の文字色を赤色で警告表示するように、表示制御部１０に指示し、表示させ（ステップＳ３８）、終了する。なお、ステップＳ３８において、赤色で警告表示する際においては、容量がかなり少なくなっていることが推測されるので、図６に示すように、ポップアップの表示の際に、データホルダー３１に記憶されているファイルを選択して消去することができるような選択肢を設けるようにしてもよい。その際には、データホルダー３１に記憶されているファイルの一覧を表示して、そこからファイルを選択して消去できるようになる。
【００３３】
次に、地上デジタルＴＶ処理機能２２が起動した場合について説明する。地上デジタルＴＶ処理機能２２が起動し（ステップＳ１１）、放送を受信する(ステップＳ１２)。そして、ユーザ操作によるキー操作部１２からの放送録画指示をチェックし（ステップＳ１３）、録画不要であれば終了する。録画指示があれば、ＳＤカード３２へ保存する（ステップＳ１４）。
【００３４】
残量表示制御機能２４は、この保存後のＳＤカード３２の残量と、残量閾値記憶部２５の地上デジタルＴＶ録画機能の閾値とを比較対象として、先に説明したステップＳ３１〜Ｓ３８と同様の処理を行う。
【００３５】
次に、撮影処理機能２３が起動した場合について説明する。撮影処理機能２３が起動し（ステップＳ２１）、カメラで撮影する(ステップＳ２２)。そして、ユーザ操作によるキー操作部１２からのファイル画像（又は動画ファイル）保存指示をチェックし（ステップＳ２３）、保存不要であれば終了する。保存指示があれば、ＳＤカード３２へ保存する（ステップＳ２４）。
【００３６】
残量表示制御機能２４は、この保存後のＳＤカード３２の残量と、残量閾値記憶部２５の撮影保存機能の閾値とを比較対象として、先に説明したステップＳ３１〜Ｓ３８と同様の処理を行う。
【００３７】
なお、データ保存に関するアプリケーションを実行する処理機能として、メール、地上デジタルＴＶ、撮影としたが、他のデータ保存に関するアプリケーションであってもよい。
【００３８】
このように、実施例１によれば、データ保存処理を行ったことをユーザに報知表示する場合にその表示色を保存後のデータ格納部の残量により変えるが、その閾値が各処理機能毎に予め設定されていることにより、各処理機能に適した残量表示とすることができる。
【００３９】
また、ユーザは、保存が終わった直後に、データ格納メモリの残量を知ることができ、次回のメール着信に備えて、データ格納メモリの整理や削除などを行うことができる。そして、次回のメール着信時に、データ格納メモリが足りないなどとあわてることを防ぐことができる。
【実施例２】
【００４０】
図４は、本発明の実施例２に係る携帯端末の制御部２０の動作フローチャートである。携帯端末１００のブロック図（図１）の内、残量残量閾値記憶部２５は不要であるが、他は同じであり、ブロック図の説明を省略する。実施例１との主な相違点は、残量残量閾値記憶部２５のように予め閾値が固定で記憶されているのではなく、毎回のデータ保存時に、今保存した最新のデータの容量分を基にして、閾値を決めるところである。
【００４１】
実施例１と同じ処理については、同じステップ番号を付し、異なるところを主に説明する。ステップＳ１〜Ｓ５、Ｓ１１〜Ｓ１４、Ｓ２１〜Ｓ２４のデータ保存は、実施例１と同じであり、説明を省略する。
【００４２】
メール処理の添付ファイルの保存処理ステップＳ５が終わった後、残量表示制御機能２４は、保存後のデータ格納部３０の該当機能部分、すなわちメールであればデータホルダー３１の残量と、ステップＳ５で今回保存した分の容量を比較する（ステップＳ４１）。この比較において、残量が、ステップＳ５で今回保存した分の容量の３個分以上であれば（ステップＳ４２で「ＹＥＳ」）、残量は十分ということで、ポップアップ「保存しました」の文字色を黒色で表示するように、表示制御部１０に指示し、表示させ（ステップＳ４３）、終了する。
【００４３】
残量が、ステップＳ５で今回保存した分の容量の３個分未満で２個分以上であれば（ステップＳ４４で「ＹＥＳ」）、例えば図５に示すとおりのポップアップ「保存しました」の文字色を青色で表示するように、表示制御部１０に指示し、表示させ（ステップＳ４５）、終了する。
【００４４】
残量が、ステップＳ５で今回保存した分の容量の２個分未満で１個分以上であれば（ステップＳ４６で「ＹＥＳ」）、ポップアップ「保存しました」の文字色を黄色で表示するように、表示制御部１０に指示し、表示させ（ステップＳ４７）、終了する。
【００４５】
残量が、ステップＳ５で今回保存した分の容量の１個分未満であれば（ステップＳ４６で「ＮＯ」）、残量が少ないということで、ポップアップ「保存しました」の文字色を赤色で警告表示するように、表示制御部１０に指示し、表示させ（ステップＳ４８）、終了する。なお、ステップＳ４８において、赤色で警告表示する際においては、容量がかなり少なくなっていることが推測されるので、図６に示すように、ポップアップの表示の際に、データホルダー３１に記憶されているファイルを選択して消去することができるような選択肢を設けるようにしてもよい。その際には、データホルダー３１に記憶されているファイルの一覧を表示して、そこからファイルを選択して消去できるようになる。
【００４６】
また、地上デジタルＴＶ処理の放送録画の保存処理ステップＳ１４が終わった後は、保存後のデータ格納部３０の該当機能部分、すなわちＳＤカード３２の残量と、ステップＳ１４で今回保存した分の容量を比較し（ステップＳ４１）、ステップＳ４２〜Ｓ４８で、同様の処理が行われる。
【００４７】
また、撮影処理のファイル保存処理ステップＳ２４が終わった後は、保存後のデータ格納部３０の該当機能部分、すなわちＳＤカード３２の残量と、ステップＳ２４で今回保存した分の容量を比較し（ステップＳ４１）、ステップＳ４２〜Ｓ４８で、同様の処理が行われる。
【００４８】
このように、比較する「３個分」「２個分」「１個分」等の値は固定であっても、直前に保存した分の容量が基準になるので、最新の保存実績に対応した残量表示を行うことができる。
【００４９】
なお、ステップＳ４２、Ｓ４４、Ｓ４６において、今回保存した分の容量の何個分とするかは、他の個数としてもよい。また、メール処理、地上デジタルＴＶ処理、撮影処理のいずれの処理機能においても、ステップＳ４２で「３個分」、ステップＳ４４で「２個分」、ステップＳ４６で「１個分」の判断を行ったが、各処理機能毎に、何個分とするかは分けてもよい。
【００５０】
実施例２によれば、データを保存する毎に、今回保存した分の容量を基に、どの残量表示色にするかの閾値を可変している。これにより、最新の保存実績に対応した残量表示を行うことができる。
【図面の簡単な説明】
【００５１】
【図１】本発明の実施例１および実施例２に係る携帯端末のブロック図。
【図２】本発明の実施例１に係る携帯端末の残量閾値記憶部２５を説明する図。
【図３】本発明の実施例１に係る携帯端末の制御部２０の動作フローチャート。
【図４】本発明の実施例２に係る携帯端末の制御部２０の動作フローチャート。
【図５】本発明の実施例１および実施例２に係る携帯端末の表示画面を説明する図。
【図６】本発明の実施例１および実施例２に係る携帯端末の表示画面を説明する図。
【符号の説明】
【００５２】
１  無線通信用アンテナ
２  携帯電話網送受信部
３  マイクロホン
４  スピーカ
５  音声処理部
６  画像処理部
７  放送受信用アンテナ
８  地上デジタルＴＶ受信部
９  表示部
１０  表示制御部
１１  カメラ
１２  キー操作部
２０  制御部
２１  メール処理機能
２２  地上デジタルＴＶ処理機能
２３  撮影処理機能
２４  残量表示制御機能
２５  残量閾値記憶部
３０  データ格納部
３１  データホルダー
３２  ＳＤカード
１００  携帯端末
【図１】
0005151570.tif 000002
【図２】
0005151570.tif 000003
【図３】
0005151570.tif 000004
【図４】
0005151570.tif 000005
【図５】
0005151570.tif 000006
【図６】
0005151570.tif 000007